(57)【要約】【課題】携帯端末における画面の視認性や全体の美観を良好に維持する電子機器用付属装置を提供する。【解決手段】電子機器１と接続する拡張コネクタ２１を備えた卓上ホルダ２と、アンテナの作用を担うとともに音声信号の伝送を担うケーブル部３１、卓上ホルダから取り外された電子機器に結合する電子機器結合コネクタ３２１を備えケーブル部の第１端に取り付けられた第１コネクタ部３２、および、イヤホン４のプラグと結合するイヤホン中継コネクタ３３３と、イヤホン中継コネクタからプラグを取り外した状態において卓上ホルダに接続されケーブル部のアンテナとしての作用を卓上ホルダに中継させるアンテナ中継コネクタ３３１とを備え、ケーブル部の第２端に取り付けられた第２コネクタ部３３を有する中継ケーブル３とを備え、卓上ホルダ２がさらに、アンテナ中継コネクタ３３１に接続されるホルダ側アンテナコネクタ２２を備えた。【選択図】        図２
2014011772.tif 000002
【特許請求の範囲】
【請求項１】
コネクタを介して接続されたアンテナで受けた放送電波を受信するチューナを備えて該チューナ由来の音声信号をコネクタを介して外部に出力する電子機器に着脱自在に結合される電子機器用付属装置であって、
前記電子機器が載せ置かれることにより該電子機器と接続する拡張コネクタを備え、該電子機器を載せ置かれた状態に支持する卓上ホルダと、
紐状に延び前記アンテナの作用を担うとともに前記音声信号の伝送を担うケーブル部、前記卓上ホルダから取り外された状態の前記電子機器に結合する電子機器結合コネクタを備え前記ケーブル部の第１端に取り付けられた第１コネクタ部、および、音声信号を音声に変換するイヤホンのプラグと結合し前記ケーブル部を伝送してきた音声信号を該イヤホンに伝えるジャック型のイヤホン中継コネクタと、該イヤホン中継コネクタから該プラグを取り外した状態において前記卓上ホルダに接続され前記ケーブル部の前記アンテナとしての作用を該卓上ホルダに中継させるアンテナ中継コネクタとの双方のコネクタを備え前記ケーブル部の第２端に取り付けられた第２コネクタ部、を有する中継ケーブルとを備え、
前記卓上ホルダがさらに、前記アンテナ中継コネクタに接続されるホルダ側アンテナコネクタを備え、前記中継ケーブルの前記アンテナの作用を中継して、該卓上ホルダに載せ置かれた前記電子機器に伝えるものであることを特徴とする電子機器用付属装置。
【請求項２】
前記第２コネクタ部は、前記電子機器の動作を制御する操作部を有し、
前記中継ケーブルは、前記電子機器結合コネクタが前記電子機器に結合した状態においては前記操作部での操作を該電子機器結合コネクタを介して該電子機器に伝達し、該電子機器が前記卓上ホルダに載せ置かれ前記アンテナ中継コネクタが前記ホルダ側アンテナコネクタに接続した状態においては、前記操作部での操作の前記電子機器への伝達を該卓上ホルダに中継させるものであることを特徴とする請求項１記載の電子機器用付属装置。
【請求項３】
前記第２コネクタ部が、前記イヤホン中継コネクタに嵌合したイヤホンと前記ケーブル部との間に介在する、放送電波に対し高抵抗の高周波減衰素子と、前記アンテナ中継コネクタが前記ホルダ側アンテナコネクタに接続したことを受けて該高周波減衰素子をバイパスするバイパス回路とを備えたことを特徴とする請求項１又は２記載の電子機器用付属装置。
【発明の詳細な説明】
【技術分野】
【０００１】
本発明は、携帯端末に代表される電子機器に接続される、中継ケーブルおよび卓上ホルダを有する電子機器用付属装置に関する。
【背景技術】
【０００２】
携帯電話などの携帯端末には、通話機能のほかに通信機能やテレビ等の放送電波の受信機能を内蔵するものが商品化されている。テレビ等の放送電波を受信するためには、アンテナが必要であるが、アンテナについてはイヤホンケーブルを利用する技術が例えば特許文献１および特許文献２に開示されている。
【先行技術文献】
【特許文献】
【０００３】
【特許文献１】特開平７-２９８３８４号公報
【特許文献２】特開平９-３３１２０９号公報
【発明の概要】
【発明が解決しようとする課題】
【０００４】
携帯端末を携帯する場合には、アンテナの機能を有するイヤホンケーブルを携帯端末に接続することで、放送電波を受信するとともに、イヤホンケーブルに接続されたイヤホンで放送の音声を聞くことができる。なお、中継ケーブルを介在させ、この中継ケーブルの両端に端末用コネクタとイヤホン用の汎用ジャックとを配置することで、使用者の好みのイヤホンを接続可能とすることが行われている。
【０００５】
携帯端末を屋内等で使用する場合には、携帯端末を卓上ホルダに載せ置くことが行われている。卓上ホルダに内蔵あるいは外部接続されたスピーカを用いて音声を聞くとき、イヤホンは本来不要である。ところが、アンテナを利用するため、卓上ホルダに載せ置かれた携帯端末にイヤホンケーブルを接続すると、携帯端末を含む装置全体の見栄えが損なわれる。また、イヤホンケーブルが画面を見る際に邪魔になる。
【０００６】
本発明は上記問題点を解決し、携帯端末における画面の視認性や全体の美観が良好に維持される電子機器用付属装置を提供することを目的とするものである。
【課題を解決するための手段】
【０００７】
上記目的を達成する本発明の電子機器用付属装置は、
コネクタを介して接続されたアンテナで受けた放送電波を受信するチューナを備えてこのチューナ由来の音声信号をコネクタを介して外部に出力する電子機器に着脱自在に結合される電子機器用付属装置であって、
上記電子機器が載せ置かれることによりこの電子機器と接続する拡張コネクタを備え、この電子機器を載せ置かれた状態に支持する卓上ホルダと、
紐状に延び上記アンテナの作用を担うとともに上記音声信号の伝送を担うケーブル部、上記卓上ホルダから取り外された状態の上記電子機器に結合する電子機器結合コネクタを備え上記ケーブル部の第１端に取り付けられた第１コネクタ部、および、音声信号を音声に変換するイヤホンのプラグと結合し上記ケーブル部を伝送してきた音声信号をこのイヤホンに伝えるジャック型のイヤホン中継コネクタと、このイヤホン中継コネクタからこのプラグを取り外した状態において上記卓上ホルダに接続され上記ケーブル部の上記アンテナとしての作用をこの卓上ホルダに中継させるアンテナ中継コネクタの双方のコネクタとを備え上記ケーブル部の第２端に取り付けられた第２コネクタ部、を有する中継ケーブルとを備え、
上記卓上ホルダがさらに、上記アンテナ中継コネクタに接続されるホルダ側アンテナコネクタを備え、上記中継ケーブルの上記アンテナの作用を中継して、この卓上ホルダに載せ置かれた上記電子機器に伝えるものであることを特徴とする。
【０００８】
本発明によれば、電子機器を携帯する場合には中継ケーブルを電子機器に直接接続し、電子機器を宅内に据え置く場合には卓上ホルダを用い、中継ケーブルは卓上ホルダに接続することができる。具体的には、電子機器を携帯する場合には、中継ケーブルの第１端の電子機器結合コネクタを電子機器に接続するとともに、第２端のイヤホン中継コネクタにイヤホンのプラグを接続する。この場合には、中継ケーブルにイヤホンの音声信号を中継させるとともに放送電波を受けさせることができる。電子機器を宅内に据え置く場合には、中継ケーブルの第１端を取外した電子機器を卓上ホルダに載せ置くことで、拡張コネクタを介して電子機器と卓上ホルダとが接続される。ここで、中継ケーブルの第２端にあるアンテナ中継コネクタを卓上ホルダのホルダ側アンテナコネクタに接続することで、中継ケーブルをアンテナとして使用し放送電波を受けさせることができる。つまり、携帯時に電子機器に接続していた中継ケーブルを、向きをひっくり返すことで卓上ホルダに接続させて使用することができる。据え置き時には、アンテナになる中継ケーブルが電子機器ではなく卓上ホルダに接続されることで、画面の視認性や装置全体の美観が良好に保たれる。
【０００９】
ここで、上記本発明の電子機器用付属装置において、上記第２コネクタ部は、上記電子機器の動作を制御する操作部を有し、
上記中継ケーブルは、上記電子機器結合コネクタが上記電子機器に結合した状態においては上記操作部での操作をこの電子機器結合コネクタを介してこの電子機器に伝達し、この電子機器が上記卓上ホルダに載せ置かれ上記アンテナ中継コネクタが上記ホルダ側アンテナコネクタに接続した状態においては、上記操作部での操作の上記電子機器への伝達をこの卓上ホルダに中継させるものであることが好ましい。
【００１０】
据え置き時には、卓上ホルダに接続される第２コネクタ部に操作部が接続されることで、卓上ホルダと一体化した操作部を操作して、卓上ホルダ上の電子機器を制御することができる。
【００１１】
また、上記本発明の電子機器用付属装置において、上記第２コネクタ部が、上記イヤホン中継コネクタに嵌合したイヤホンと上記ケーブル部との間に介在する、放送電波に対し高抵抗の高周波減衰素子と、上記アンテナ中継コネクタが上記ホルダ側アンテナコネクタに接続したことを受けてこの高周波減衰素子をバイパスするバイパス回路とを備えることが好ましい。
【００１２】
中継ケーブルの第２コネクタ部に高周波減衰素子を有することで、電子機器の携帯中に中継ケーブルをアンテナとして使用する状況で、イヤホンの接続の有無やイヤホンの種類による有効アンテナ長の変動が抑えられるため、受信性能の劣化が抑えられる。さらに、中継ケーブルの第２コネクタ部が卓上ホルダに接続される場合に高周波減衰素子がバイパスされることで、電子機器の据え置き時に、中継ケーブルのアンテナ機能が発揮される。
【発明の効果】
【００１３】
以上説明したように、本発明によれば、携帯端末における画面の視認性や全体の美観が良好に維持される電子機器用付属装置が実現する。
【図面の簡単な説明】
【００１４】
【図１】本発明の電子機器用付属装置の第１の実施例である卓上ホルダおよびアンテナ付きイヤホン変換ケーブルを示す外観図である。
【図２】図１に示す装置のコネクタ接続を示す概略構成図である。
【図３】図２に示すアンテナ付きイヤホン変換ケーブル及び卓上ホルダの回路図である。
【図４】第１の実施例のアンテナ付きイヤホン変換ケーブルにおける、図２とは別の接続状態を示す概略構成図である。
【図５】図４に示すアンテナ付きイヤホン変換ケーブルの回路図である。
【図６】本発明の電子機器用付属装置の第２の実施例を示す回路図である。
【図７】第２の実施例のアンテナ付きイヤホン変換ケーブルにおける、図６とは別の接続状態を示す回路図である。
【発明を実施するための形態】
【００１５】
以下図面を参照して本発明の実施の形態を説明する。
【００１６】
図１は、本発明の電子機器用付属装置の第１の実施例である卓上ホルダおよびアンテナ付きイヤホン変換ケーブルを示す外観図である。
【００１７】
図１に示す卓上ホルダ２およびアンテナ付きイヤホン変換ケーブル３は、携帯端末１に接続されて使用される。携帯端末１は、典型的にはスマートフォンであり、テレビ放送受信機能及び表示機能が内蔵されている。受信されるテレビ放送は、例えば、ＶＨＦ帯域を利用する携帯端末マルチメディア放送である。ここで、卓上ホルダ２およびアンテナ付きイヤホン変換ケーブル３の組合せが、本発明の電子機器用付属装置の一実施例に相当する。アンテナ付きイヤホン変換ケーブル３が、本発明にいう中継ケーブルの一例に対応する。
【００１８】
卓上ホルダ２およびアンテナ付きイヤホン変換ケーブル３は、携帯端末１に着脱自在に結像される機器である。使用者が携帯端末１を携帯する場合には、図１のパート（Ａ）に示すように、携帯端末１にイヤホン４を、アンテナ付きイヤホン変換ケーブル３を介して接続し、イヤホン４からの音声を聴くことができる。アンテナ付きイヤホン変換ケーブル３は、受信用アンテナとして機能する。また、アンテナ付きイヤホン変換ケーブル３に備えられたリモコン部３３を介して携帯端末１の動作が制御される。
【００１９】
また、図１のパート（Ｂ）に示すように、携帯端末１を卓上ホルダ２に載せ置くことで、携帯端末１を卓上に据え置いた状態にしてテレビ放送を楽しむ事が出来る。このとき、アンテナ付きイヤホン変換ケーブル３は卓上ホルダ２に接続され、受信用アンテナとして機能する。
【００２０】
図２は、図１に示す装置のコネクタ接続を示す概略構成図である。図２には、図１のパート（Ｂ）における状態が示されている。
【００２１】
携帯端末１には、端末側拡張コネクタ１１、および端末側イヤホンコネクタ１２が備えられている。端末側拡張コネクタ１１は、携帯端末１の機能を拡張する際に外部装置と接続するためのコネクタである。端末側イヤホンコネクタ１２は、卓上ホルダ２を介さずにイヤホンを接続するためのコネクタである。
【００２２】
卓上ホルダ２には、携帯端末１と接続するためのホルダ側拡張コネクタ２１と、ホルダ側アンテナコネクタ２２が備えられている。卓上ホルダ２に携帯端末１が載せ置かれることで、携帯端末１の端末側拡張コネクタ１１と卓上ホルダ２のホルダ側拡張コネクタ２１とが接続する。卓上ホルダ２は、携帯端末１を、画面が見やすい姿勢に支持する。
【００２３】
アンテナ付きイヤホン変換ケーブル３は、ケーブル部３１、端末コネクタ部３２、およびリモコン部３３を備えている。ケーブル部３１は、紐状に延びており、アンテナの作用を担うとともに音声信号の伝送を担っている。端末コネクタ部３２およびリモコン部３３は、ケーブル部３１の両端にそれぞれ取り付けられている。
【００２４】
端末コネクタ部３２には、携帯端末１が卓上ホルダ２から取り外された場合に携帯端末１に結合する端末結合コネクタ３２１が設けられている。
【００２５】
また、リモコン部３３には、アンテナ中継コネクタ３３１およびイヤホン中継コネクタ３３３が設けられている。イヤホン中継コネクタ３３３は、携帯端末１が卓上ホルダ２から取り外された場合にイヤホン４のプラグ４３と結合するためのコネクタである。アンテナ中継コネクタ３３１は、卓上ホルダ２のホルダ側アンテナコネクタ２２と結合し、ケーブル部３１のアンテナとしての作用を卓上ホルダ２に中継させる。
【００２６】
アンテナ付きイヤホン変換ケーブル３のリモコン部３３では、イヤホン中継コネクタ３３３からイヤホン４のプラグ４３が取り外された状態で、アンテナ中継コネクタ３３１が、卓上ホルダ２のホルダ側アンテナコネクタ２２に接続されている。卓上ホルダ２は、アンテナ付きイヤホン変換ケーブル３のアンテナの作用を中継して、卓上ホルダ２に載せ置かれた携帯端末１に伝える。したがって、アンテナ付きイヤホン変換ケーブル３は、携帯端末１のアンテナとして機能する。ケーブル部３１は人力で任意の形状に変形出来る柔軟性と剛性を兼ねた機械的構造をしていて、最適な受信状態となる様に使用者が形状を変形出来る。
【００２７】
ここで、端末コネクタ部３２が本発明にいう第１コネクタ部の一例に相当し、リモコン部３３が本発明にいう第２コネクタ部の一例に相当する。また、ケーブル部３１のうち端末コネクタ部３２が取り付けられた側が本発明にいう第１端の一例に相当し、ケーブル部３１のうちリモコン部３３が取り付けられた側が本発明にいう第２端の一例に相当する。端末結合コネクタ３２１は、本発明にいう電子機器結合コネクタの一例に相当する。
【００２８】
図３は、図２に示すアンテナ付きイヤホン変換ケーブル及び卓上ホルダの回路図である。図３には、卓上ホルダ２に携帯端末１が接続された状態が示されている。
【００２９】
アンテナ付きイヤホン変換ケーブル３のケーブル部３１は、アンテナ線（ＡＮＴ）、右耳用音声信号線（Ｒ）、左耳用音声信号線（Ｌ）、リモコン信号線（リモコン）、およびグラウンド線（ＧＮＤ）を備えている。
【００３０】
アンテナ付きイヤホン変換ケーブル３のアンテナ線（ＡＮＴ）は、アンテナ中継コネクタ３３１、卓上ホルダ２のホルダ側アンテナコネクタ２２とホルダ側拡張コネクタ２１、および携帯端末１の端末側拡張コネクタ１１を介して携帯端末１のチューナ１３に接続されている。チューナ１３は、アンテナで受けた放送電波を受信する。アンテナ線（ＡＮＴ）のうち、端末コネクタ部３２側の端から上記の各コネクタを経由してチューナ１３に至るまでの線長の合計がアンテナ長となる。通常は、受信する周波数の波長の１／４となる様にアンテナ長は設定される。
【００３１】
アンテナ付きイヤホン変換ケーブル３のリモコン部３３には、使用者の操作に応じて携帯端末１の動作を制御するリモコン回路３３４が設けられている。アンテナ付きイヤホン変換ケーブル３のリモコン回路３３４からの信号は、アンテナ中継コネクタ３３１、ホルダ側アンテナコネクタ２２、ホルダ側拡張コネクタ２１、および端末側拡張コネクタ１１を介して携帯端末１のリモコン回路１４に接続されていて、リモコン部３３のキー等により携帯端末１の表示画面の明るさ等を操作する事が出来る。
つまり、リモコン回路３３４の操作の、携帯端末１への伝達は、卓上ホルダ２によって中継される。図２にも示されているように、アンテナ付きイヤホン変換ケーブル３のリモコン部３３は、卓上ホルダ２に直接に接続されるので、卓上ホルダ２と一体化したリモコン部３３を操作して、卓上ホルダ２上の携帯端末１を制御することができる。
【００３２】
携帯端末１には、音声回路１５が設けられている。音声回路１５は、例えばチューナ１３由来の音声信号を出力する。これに対応して、卓上ホルダ２には、音声信号を増幅するアンプ２３，２４と、増幅された音声信号を音声に変換するスピーカ２５，２６とが設けられている。
【００３３】
図３に示す接続構成において、携帯端末１の音声回路１５からの出力は、端末側拡張コネクタ１１およびホルダ側拡張コネクタ２１を介して卓上ホルダ２のアンプ２３，２４に接続されていて、アンプ２３，２４の出力により駆動されるスピーカ２５，２６により大出力のステレオ音声を楽しむ事が出来る。
【００３４】
また、携帯端末１には、卓上ホルダ２を介して、ＡＣアダプター５３からの電源が供給される。ＡＣアダプター５３の電源プラグ５１を商用ＡＣ電源に接続した状態で、このＡＣアダプター５３を、電源用のコネクタ５２およびコネクタ２７を介して卓上ホルダ２に接続する事により、卓上ホルダ２および携帯端末１に電源を供給する事が出来る。
【００３５】
以上の様に、卓上ホルダ２と簡単に接続出来、卓上ホルダのアンテナと兼用出来るアンテナ付きイヤホン変換ケーブル３を提供する事が出来る。図３（図１のパート（Ｂ））に示す接続構成において、アンテナ付きイヤホン変換ケーブル３は卓上ホルダ２に接続され、携帯端末１に接続されないので、携帯端末１の周囲がケーブルで煩雑になる事態が避けられ、また、携帯端末１の画面がケーブルで邪魔されるような事態が回避される。
【００３６】
図４は、第１の実施例のアンテナ付きイヤホン変換ケーブルにおける、図２とは別の接続状態を示す概略構成図である。
【００３７】
携帯端末１を持ち歩く場合は、アンテナ付きイヤホン変換ケーブル３の端末コネクタ部３２に設けられた端末結合コネクタ３２１を、携帯端末１の端末側イヤホンコネクタ１２に接続することにより、アンテナ付きイヤホン変換ケーブル３を携帯端末１のアンテナとして機能させることができる。
【００３８】
アンテナ付きイヤホン変換ケーブル３のリモコン部３３にあるイヤホン中継コネクタ３３３には、イヤホン４のプラグ４３を接続することが出来る。
【００３９】
図５は、図４に示すアンテナ付きイヤホン変換ケーブルの回路図である。図５には、アンテナ付きイヤホン変換ケーブル３に携帯端末１およびイヤホン４が接続された状態が示されている。
【００４０】
アンテナ付きイヤホン変換ケーブル３のアンテナ線（ＡＮＴ）は、端末コネクタ部３２、端末側イヤホンコネクタ１２を介して携帯端末１のチューナ１３に接続されていて、その線長の合計がアンテナ長となる。通常は受信する周波数の波長の１／４となる様にアンテナ長は設定される。
【００４１】
アンテナ付きイヤホン変換ケーブル３のリモコン回路３３４の信号は、端末コネクタ部３２、端末側イヤホンコネクタ１２を介して携帯端末１のリモコン回路１４に接続されていて、リモコン部３３のキー等により携帯端末１の表示画面の明るさ等を操作する事が出来る。つまり、リモコン回路３３４の操作は、端末結合コネクタ３２１を介して携帯端末１に伝達される。
【００４２】
携帯端末１の音声回路１５からの出力は、端末側イヤホンコネクタ１２、アンテナ付きイヤホン変換ケーブル３の端末コネクタ部３２およびイヤホン中継コネクタ３３３を介してイヤホン４に接続されていて、ステレオ音声を楽しむ事が出来る。イヤホン中継コネクタ３３３は汎用のジャック型コネクタであるため、端末側イヤホンコネクタ１２の形式にとらわれず、使用者の好みに応じて選択された種々のイヤホンが接続できる。
【００４３】
図４および図５に示すような、携帯端末１が携帯される場面では、本実施例のアンテナ付きイヤホン変換ケーブル３は、端末コネクタ部３２が携帯端末１に直接接続されてアンテナとして機能するとともに、携帯端末１からの音声信号をイヤホン４に中継する。これに対し、携帯端末１が卓上に据え置かれて使用される場面では、アンテナ付きイヤホン変換ケーブル３は、端末コネクタ部３２とは反対の端にあるリモコン部３３が卓上ホルダ２に接続されてアンテナとして機能する。したがって、アンテナ付きイヤホン変換ケーブル３と卓上ホルダ２とが接続される部分には、端末側イヤホンコネクタ１２のような携帯端末１に固有の形状のコネクタは不要である。したがって、携帯端末１に固有な形状のコネクタを用いる場合に比べて、組み立て労力が低減される。
【００４４】
図６は、本発明の電子機器用付属装置の第２の実施例を示す回路図である。図６の接続構成は、図４の状態に対応している。
【００４５】
本実施例におけるアンテナ付きイヤホン変換ケーブル３のリモコン部３３には、高周波減衰素子６１，６２，６３，６４，６５が備えられている。高周波減衰素子６１，６２，６３，６４，６５は、リモコン部３３のアンテナ線（ＡＮＴ）、右耳用音声信号線（Ｒ）、左耳用音声信号線（Ｌ）、リモコン信号線（リモコン）、およびグラウンド線（ＧＮＤ）にそれぞれ設けられている。また、リモコン部３３には、アンテナ信号線の高周波減衰素子６１を電気的にバイパスするためのスイッチ７１およびスイッチ制御回路７２が設けられている。スイッチ７１およびスイッチ制御回路７２は、本発明にいうバイパス回路の一例に相当する。また、アンテナ中継コネクタ３３１ａには、スイッチ制御回路７２に繋がる端子が追加されている。図６に示す状態では、この端子には何も接続されていない。この場合、スイッチ制御回路７２はスイッチ７１を開状態とすることで、高周波減衰素子６１のバイパスを無効とする。アンテナ付きイヤホン変換ケーブル３におけるこの他の点は、第１の実施例（図５）と同様であり、同一の要素には同一の符号を付して説明する。
【００４６】
高周波減衰素子６１〜６５はインダクタンスがある素子であり、例としてコイル、フェライトビーズなどがある。
【００４７】
図６に示す接続状態では、高周波減衰素子６１の効果により、アンテナ長は高周波減衰素子６１からチューナ１３までの線長の合計となる。高周波減衰素子６１の挿入位置を調整する事によりアンテナ感度を微調整出来る。高周波減衰素子６２〜６５にはアンテナ線（ＡＮＴ）のアンテナ長に相当する部分へ高周波が入力される事が回避出来る効果があり、受信感度が向上する。例えば、使用者が好みに応じてイヤホン４を別の種類のものあるいは別の線長のものに変更した場合における、アンテナ感度の変動が低減される。したがって、イヤホン４の影響を無視して、アンテナ長を理想の目標長さに設定することができる。
【００４８】
図７は、第２の実施例のアンテナ付きイヤホン変換ケーブルにおける、図６とは別の接続状態を示す回路図である。図７の接続構成は、図２の状態に対応している。図７には、第２の実施例における卓上ホルダも示されている。
【００４９】
第２の実施例における卓上ホルダ２のホルダ側アンテナコネクタ２２ａには、リモコン部３３のアンテナ中継コネクタ３３１ａに追加された端子に対応した端子が追加されている。この端子の電圧は、卓上ホルダ２でＤＣ電源Ｖｃｃのレベルに維持されている。
【００５０】
図７に示す接続状態では、アンテナ中継コネクタ３３１ａが、卓上ホルダ２のホルダ側アンテナコネクタ２２ａに接続されている。この場合、卓上ホルダ２から、ホルダ側アンテナコネクタ２２ａおよびアンテナ中継コネクタ３３１ａを介して、スイッチ制御回路７２にＤＣ電源Ｖｃｃのレベルが供給される。このことを受けて、スイッチ制御回路７２はスイッチ７１を閉状態とし、高周波減衰素子６１をバイパスさせる。この結果、高周波減衰素子６１は機能しなくなり、アンテナ長を図３に示すものとほぼ同一にする事が出来る。
【００５１】
なお、本実施例では、リモコン部３３を卓上ホルダ２に装着した場合における、高周波減衰素子６１を無効化する動作を電気的に行っているが、無効化する動作は、機械的に行う事も可能である。
【００５２】
また、上述した実施例における第２コネクタ部はリモコン回路を備えたリモコン部３３である。ただし、本発明はこれに限られるものではなく、第２コネクタ部は、例えば操作部を備えない構成であってもよい。つまり、中継ケーブルは、リモコンの機能が無くともよい。
【００５３】
また、上述した実施例におけるチューナは、ＶＨＦ帯域を利用する携帯端末マルチメディア放送を受信するものである。ただし、本発明はこれに限られるものではなく、チューナは、例えば音声のＦＭ放送を受信するものであってもよい。
【００５４】
また、上述した実施形態における電子機器は、タッチパネルを有するスマートフォンである。ただし、本発明はこれに限られるものではなく、電子機器は、例えば番号用プッシュボタンを有する携帯電話であってもよく、またチューナを内蔵したパーソナルコンピュータであってもよい。
【００５５】
また、上述した実施形態におけるケーブル部３１は、アンテナ線（ＡＮＴ）を、右耳用音声信号線（Ｒ）および左耳用音声信号線（Ｌ）とは別にを備えている。ただし、本発明はこれに限られるものではなく、右耳用音声信号線（Ｒ）および左耳用音声信号線（Ｌ）の双方またはいずれかにアンテナの機能を持たせ、アンテナ専用の線を省略したものであってもよい。
【符号の説明】
【００５６】
１…携帯端末、１１…端末側拡張コネクタ、１２…端末側イヤホンコネクタ、１３…チューナ、１４…リモコン回路、１５…音声回路、２…卓上ホルダ、２１…ホルダ側拡張コネクタ、２２，２２ａ…ホルダ側アンテナコネクタ、３…アンテナ付きイヤホン変換ケーブル、３１…ケーブル部、３２…端末コネクタ部、３３…リモコン部、３２１…端末結合コネクタ、３３１，３３１ａ…アンテナ中継コネクタ、３３３…イヤホン中継コネクタ、３３４…リモコン回路、４…イヤホン、４３…プラグ、６１，６２，６３，６４，６５…高周波減衰素子、７１…スイッチ、７２…スイッチ制御回路
【図１】
2014011772.tif 000003
【図２】
2014011772.tif 000004
【図３】
2014011772.tif 000005
【図４】
2014011772.tif 000006
【図５】
2014011772.tif 000007
【図６】
2014011772.tif 000008
【図７】
2014011772.tif 000009